(57)【特許請求の範囲】
【請求項１】
可撓性を有するシート体からなる容器本体（１）と、該容器本体（１）に取り付けられた口部材（２）とを備え、前記容器本体（１）には、正面壁（３）と該正面壁（３）に対向する、該正面壁より幅広の背面壁（４）とを側方にて連結し且つ、容器本体（１）の内側へ折り込まれたガセット（５）が設けられてなる口部材付き容器において、
正面壁（３）と背面壁（４）とガセット（５）とは、少なくとも正面壁（３）に相当する箇所からガセット（５）に相当する箇所にかけて予め印刷（１０）が連続的に施された一枚のシート体で構成されており、
背面壁（４）の側縁部（４ａ）の内面とガセット（５）の内面とが、正面壁（３）の側縁部（３ａ）から背面壁（４）の側縁部（４ａ）までの幅よりも小さいシール幅でヒートシールにより接着され、且つ、正面壁（３）の側縁部（３ａ）の内面とガセット（５）の内面とが接着されていないことを特徴とする口部材付き容器。
【発明の詳細な説明】
【０００１】
【発明の属する技術分野】
本発明は、可撓性を有するシート体によって形成された口部材付き容器に関し、特に、側方にガセットを備えてなる口部材付き容器に関するものである。
【０００２】
【従来の技術】
従来、図５の如く、可撓性を有するシート体からなる容器本体５１と、該容器本体５１に取り付けられた口部材５２とを備え、正面壁５３と、正面壁５３に対向する背面壁５４と、正面壁５３と背面壁５４とを側方にて連結し且つ容器本体５１の内側へ折り込まれた左右一対のガセット５５，５６とから、前記容器本体５１が構成されてなる口部材付き容器が公知である。
【０００３】
かかる容器本体５１は、正面壁５３、背面壁５４、及び両ガセット５５，５６が各々別々のシート体で構成されており、合計４枚のシート体の側縁部の内面同士がヒートシールで接着されることにより、袋状に形成されたものである。
【０００４】
このように形成された容器は、容器本体５１内に飲料等が充填されて商品として陳列されるので、容器本体５１には、その商品名や模様等の印刷が施されており、また、ガセット５５，５６が設けられているので、自立状態で陳列させることができる。
【０００５】
【発明が解決しようとする課題】
しかるに、これらの印刷は、主に容器本体５１の正面壁５３に施されており、また、側方のガセット５５，５６に印刷を施しているものでも、その印刷は、正面壁５１の印刷と連続性がなく、ガセット５５，５６のみで完結する単純模様の印刷であった。
従って、正面壁５３を前方にして容器を陳列し、その容器を斜め前方から見ると、印刷付きの正面壁５３の隣に別の印刷がされたガセット５５，５６が見えることになり、容器のデザインが一体感にかけることになる。
【０００６】
そこで本発明は、上記従来の問題点に鑑みてなされたもので、デザインに一体感と立体感とを持たせることができる口部材付き容器を提供することを課題とする。
【０００７】
【課題を解決するための手段】
本発明は、上記課題を解決すべくなされたものであり、本発明に係る口部材付き容器は、可撓性を有するシート体からなる容器本体（１）と、該容器本体（１）に取り付けられた口部材（２）とを備え、前記容器本体（１）には、正面壁（３）と該正面壁（３）に対向する、該正面壁より幅広の背面壁（４）とを側方にて連結し且つ、容器本体（１）の内側へ折り込まれたガセット（５）が設けられてなる口部材付き容器において、正面壁（３）と背面壁（４）とガセット（５）とは、少なくとも正面壁（３）に相当する箇所からガセット（５）に相当する箇所にかけて予め印刷（１０）が連続的に施された一枚のシート体で構成されており、背面壁（４）の側縁部（４ａ）の内面とガセット（５）の内面とが、正面壁（３）の側縁部（３ａ）から背面壁（４）の側縁部（４ａ）までの幅よりも小さいシール幅でヒートシールにより接着され、且つ、正面壁（３）の側縁部（３ａ）の内面とガセット（５）の内面とが接着されていないことを特徴とする。
【０００８】
本発明の口部材付き容器にあっては、少なくとも正面壁３に相当する箇所からガセット５に相当する箇所にかけて予め印刷１０が連続的に施された一枚のシート体から正面壁３と背面壁４とガセット５が構成されているので、例えば、斜め前方から見た場合には、正面壁３の印刷１０とガセット５の印刷１０とが一連のデザインとして映る。また、容器本体１のデザインが、正面壁３から側方のガセット５側に回り込むこととなるので、奥行きのあるデザインとなる。
【０００９】
しかも、正面壁３と背面壁４とガセット５とを一枚のシート体から構成して、少なくとも正面壁３に相当する箇所からガセット５に相当する箇所にかけて予め印刷１０を施した一枚のシート体を使用しているので、互いのシート体の位置合わせを厳密に制御して、その境界部における印刷の整合性をとるという必要もなくなる。
【００１０】
更に、背面壁（４）が正面壁より幅広に構成されているので、正面壁３に接触することなく、背面壁（４）の側縁部（４ａ）の内面とガセット（５）の内面との接着のみを簡便且つ確実に行うことができ、印刷１０が連続的に施されている正面壁３とガセット５との境界部に接着部がないので、飲料等の充填物を容器本体１内に充填した状態で正面側から見ると、接着部でガセット５の印刷１０が死角になるということがない。
【００１１】
【発明の実施の形態】
以下、本発明の一実施形態について図面に従って説明する。
本実施形態にかかる口部材付き容器は、図１に示す如く、飲料等の液体やゼリー等の粘体等の被収容物を充填可能に密封状の袋状に形成されてなる容器本体１と、該容器本体１の上端部１ａに取り付けられて、前記被収容物を取り出すための口部材２とからなる。
【００１２】
前記容器本体１は、一枚の可撓性を有するシート体から構成され、図１及び図２の如く、正面壁３と、正面壁３に対向する背面壁４と、正面壁３と背面壁４とを側方にて連結し且つ容器本体１の内側へ折り込まれた左右一対のガセット５，５とからなる。
【００１３】
また、前記背面壁４の両側縁部４ａ，４ａの内面と両ガセット５，５の一方の側縁部５ａ，５ａの内面とは、シール幅Ｗ３，Ｗ４でヒートシールにより接着され、接着された箇所にシール部６，６が形成されてなる。また、正面壁３の両側縁部３ａ，３ａと両ガセット５，５の他方の側縁部５ｂ，５ｂの内面とは接着されずに離間してなる。更に、正面壁３の幅Ｗ１は、背面壁４の幅Ｗ２よりも両シール部６，６の幅Ｗ３，Ｗ４以上小さく、Ｗ１＜Ｗ２−（Ｗ３＋Ｗ４）の関係を有してなる。即ち、正面壁３とガセット５との境界部７が、左右共に、各々のシール部６よりも内側に位置してなる。
【００１４】
更に、容器本体１には図１及び図３のように、正面壁３から両ガセット５，５にかけて印刷１０が連続的に施されてなる。より具体的には、一方のガセット５のシール部６から正面壁３を介して他方のガセット５のシール部６まで印刷１０が連続して施されてなる。
【００１５】
尚、シート体は、例えば、印刷１０が施されたポリエチレンテレフタレート等のポリエステルフィルムやポリアミドフィルム等と、必要によりアルミホイルやエチレンビニルアルコール共重合体フィルムや無機物を蒸着したフィルム等のガスバリアー性フィルムとを積層した基材フィルムの内面に、ポリエチレンやポリプロピレン等の熱融着性樹脂の層を形成した積層フィルムを採用することができる。また、その他の合成樹脂性フィルム等の任意の材質を使用することもできる。何れにしても、内面側がヒートシール可能で内部に飲料やその他目的の被収納物を収納可能なものであればよい。
【００１６】
一方、前記口部材２は、容器本体１に取り付けられた取付部８と、該取付部８の上端側の注出口部とからなり、該注出口部には着脱自在な蓋体９が螺合されている。そして、蓋体９を取り外すことにより、容器本体１内の被収容物を注出口部から取り出すことができるようになっている。また、口部材２は、容器本体１の内面と熱融着可能な合成樹脂から成型により形成されてなる。
【００１７】
また、上記の如く構成される容器本体１は、例えば、以下の如く製造される。即ち、一枚のシート体のうちの正面壁３と両ガセット５，５に相当する箇所に、予め商品のメインデザインを表す印刷１０を施しておき、そのシート体の端部同士（図２においてガセット５の一方の側縁部５ａと、背面壁４の側縁部４ａに相当する部分）を重ね合わせて筒状に形成し、該筒状のシート体を折り畳んで扁平状に形成する。この際、予め一枚のシート体に印刷１０を施しているので、折り畳んで正面壁３とガセット５とを区画形成しても、両ガセット５，５と正面壁３との間の印刷１０の連続性を自動的且つ確実に確保できる。
【００１８】
そして、背面壁４の両側縁部４ａ，４ａと両ガセット５，５とを、図２の一点破線のように、上下のシールバー２０，２０でヒートシールにより接着するが、正面壁３の幅Ｗ１が背面壁４の幅Ｗ２よりも小さいので、シールバー２０，２０が正面壁３に接触することなく、背面壁４とガセット５との接着のみ確実に行うことができる。
【００１９】
更に、ヒートシールで下端部１ｂにおけるシート体の内面同士を接着することにより袋状の容器本体１を作成し、次に、該容器本体１の上端部１ａをヒートシールで封着する際に、同時に口部材２の取付部８をシート体の内面側に挿入して取り付ける。
【００２０】
このような構成からなる口部材付き容器の容器本体１内に飲料等の被収容物を充填すると、図３の如く容器本体１が膨出した状態になる。また、側方にガセット５，５が形成されてなるので、陳列した際の自立性が確保できる。
【００２１】
そして、陳列した状態では、両ガセット５，５にも正面壁３と一連の印刷１０が施されているので外観上目立ちやすく、また、正面壁３に対して背面壁４が幅広で且つガセット５の印刷１０がシール部６まで施されているので、ガセット５の印刷１０も前方から確実に認識できる。
【００２２】
しかも、正面壁３からガセット５にかけて印刷１０が連続的に施されてなるので、正面壁３の印刷１０とガセット５の印刷１０とが一連のデザインとして映り、正面壁３とガセット５との境界部７でデザインが途切れることがなく、一体感のあるデザインが得られる。同時に、容器本体１のデザインが、正面壁３から側方のガセット５側に回り込むこととなるので、デザインに奥行き感、立体感が得られる。
【００２３】
更に、正面壁３の両側縁部３ａ，３ａの内面と両ガセット５，５の内面とを接着しないことにより、正面壁３とガセット５とで一つの連続面を形成できる。従って、境界部７でガセット５の印刷１０が死角になりにくく、正面壁３からガセット５にかけてのデザインが視覚的にも途切れることがないので、より一層デザイン上の連続性と一体感を高めることができ、且つ立体感も高まる。
【００２４】
従って、正面壁３のみに印刷１０が施されている場合や、ガセット５の印刷１０が正面壁３の印刷１０と別個独立で不連続である場合に比して、商品として陳列したときのインパクト、買い手へのアピール度合いを高めることができ、訴求効果を向上させることができるのである。
【００２５】
尚、本実施形態では、四本の横線を印刷１０の一例として説明してなるが、印刷１０の模様等はこれに限定されず、文字等の印刷であってもよく、商品イメージの図柄やイラストと風景等の写真等を組み合わせたものでもよい。また、印刷１０がガセット５のシール部６まで達していなくとも、また、背面壁４まで連続して印刷されていてもよく、正面壁３から境界部７を介してガセット５まで印刷１０が連続的に施されていればよい。尚、背面壁４には、被収容物や使用方法等の説明や注意書き等の表示がなされることが一般的である。
【００２６】
また、正面壁３の両側縁部３ａ，３ａと両ガセット５，５とを接着して、互いの境界部７に接着部を形成しても請求項１の範囲内である。但し、接着部によって連続的な印刷１０が裏表に分かれるので、正面若しくは斜め前方から見たときにガセット５側の印刷１０が接着部の死角になりやすいため、上記の如く、接着部を設けないことが好ましい。また、接着部を形成した場合には、接着部の幅を狭くする方が好ましい。
【００２７】
また、上記実施形態では、一枚のシート体から容器本体１を構成してなるが、正面壁３と両ガセット５，５とを一枚のシート体で形成し、背面壁４をこのシート体とは別のシート体から構成してもよい。更に、印刷１０は、視認性向上の観点から、上記実施形態の如く、正面壁３から左右一対のガセット５，５にかけて連続的に施されていることが好ましいが、何れか一方のガセット５にかけて連続的に施されていれば本発明の意図する範囲内である。かかる場合、印刷１０が正面壁３から連続的に施された側のガセット５と正面壁３とを少なくとも一枚のシート体から構成すればよい。ガセット５と正面壁３と別々のシート体から構成した場合に、正面壁３とガセット５との間に印刷１０の連続性を持たせるには、正面壁３の側縁部３ａとガセット５の側縁部５ｂとの貼り合わせ位置を厳密に制御しなければならないためである。尚、ガセット５が片側のみ設けられていても本発明の範囲内である。
【００２８】
【発明の効果】
以上のように、本発明の口部材付き容器は、正面壁からガセットにかけての連続印刷により、正面壁からガセットにかけて一体感のあるデザインが得られ、且つ、デザインに奥行きを持たせることができ、立体感のあるデザインを得ることができる。
【００２９】
従って、従来は、正面壁のみの印刷で平面的なデザインであったのに比して、商品として陳列したときのインパクト、買い手へのアピール度合いを高めることができ、訴求効果を向上させることができるという効果を奏する。
【００３０】
しかも、予め一枚のシート体に正面壁からガセットにかけての印刷を一体的に施しておくことができるので、正面壁とガセットとを別々のシート体から構成する場合のように、互いのシート体の位置合わせを厳密に制御して、その境界部における印刷の整合性をとるという必要もなくなり、容器形成後においても、ガセットと正面壁との間の印刷の連続性を自動的且つ確実に確保できるのである。
【００３１】
特に、請求項２記載の如く、正面壁の側縁部の内面とガセットの内面とを接着しないことにより、正面壁とガセットとで一つの連続面を形成でき、正面壁からガセットにかけてのデザインが視覚的にも途切れることがなく、より一層デザイン上の連続性と一体感を高めることができ、且つ立体感も高まる。
【図面の簡単な説明】
【図１】本発明の一実施の形態を示す正面図。
【図２】図１のＰ−Ｐ線端面図。
【図３】同実施形態の口部材付き容器の使用状態を示し、被収容物を容器本体内に収容した状態を示す斜視図。
【図４】図３のＱ−Ｑ線端面図。
【図５】従来の口部材付き容器を示し、（イ）は斜視図、（ロ）はＲ−Ｒ線端面図。
【符号の説明】
１…容器本体、２…口部材、３…正面壁、３ａ…側縁部、４…背面壁、４ａ…側縁部、５…ガセット、１０…印刷
【図１】
0004180697.tif 000002
【図２】
0004180697.tif 000003
【図３】
0004180697.tif 000004
【図４】
0004180697.tif 000005
【図５】
0004180697.tif 000006